(57)【要約】【課題】  畦上面を形成する円筒状回転体と畦側面を形成する円錐面を有する回転板とからなる畦形成装置において、畦上面部をより強固に成形できる畦形成装置を提供する。【解決手段】  畦上面を形成する円筒状回転体の外周表面は、回転軸芯に対して略円弧状の曲面部を有する複数枚の分割片を互いに隣接する分割片の回転方向前方側に後方側を重ね合せて連結して構成した。また分割片の回転方向後端部は、分割片の曲面部外周より外側に突設した突設部を設けた。【選択図】      図２
2006055121.tif 000002
【特許請求の範囲】
【請求項１】
畦形成箇所に沿って移動され、畦形成箇所に土を盛り上げ状態に供給する土盛装置と、土盛装置の移動方向の後方に設置される畦形成装置とを有し、畦形成装置は、土を盛り上げ状態とされた畦形成箇所上を回転しながら通過させる円筒状回転体と、円筒状回転体の回転駆動力供給側に取り付けられ回転駆動力供給側にいく程径大となり、円筒状回転体の中央に向けた傾斜面を有する円錐回転体とからなり、前記円筒状回転体の外周表面は、回転軸芯に対して略円弧状の曲面部を有する複数枚の分割片を互いに隣接する分割片の回転方向前方側の上面に後方側を重ね合わせて連結して構成されていることを特徴とする畦形成機。
【請求項２】
前記請求項１記載の畦形成機において、分割片の回転方向後端部は、分割片の回転軸芯に対して略円弧状の曲面部外周より外側に突設した突設部を設けたことを特徴とする請求項１記載の畦形成機。
【発明の詳細な説明】
【技術分野】
【０００１】
本発明は、旧畦及びその下方部の壌土の一部を掘削して旧畦に盛り上げ、この盛り上げた壌土を円弧状及び円錐状回転体とからなる畦形成部で締め固めて畦形成作業を行う畦形成機に関するもので、特に畦上面部を形成する上面形成体の構成に関する。
【背景技術】
【０００２】
従来の畦形成機の畦形成ディスクの構成として、同一出願人による特許第３１４８６７８号公報によるものが知られている。この公報による畦形成機は、トラクタに装着され畦形成箇所に沿って移動され、畦形成箇所に土を盛り上げ状態に供給する土盛装置と、土盛装置の移動方向の後方に設置される畦形成装置とを有し、畦形成装置は土を盛り上げ状態とされた畦形成箇所の上を回転しながら通過させる円筒回転体と、円筒回転体の回転駆動力供給側に取り付けられ回転駆動供給側にいく程径大となり、円筒回転体の中央に向けた傾斜面を有するとともに、表面は放射状の分割片に分割され各々の分割片は進行方向に対して前進角を設けてなり、隣接する分割片の相互は逃げ角をもち、側面視にてジグザグ状に連結される円錐回転体とからなるものである。
【特許文献１】特許第３１４８６７８号公報
【発明の開示】
【発明が解決しようとする課題】
【０００３】
従来の畦形成装置は、畦と直交して回転して畦上面を通過する円筒回転体と、畦側面を通過し畦側面を形成する円錐面を有する内側回転板とからなり、前記畦形成回転体の周速を走行車の走行速度よりも速く設定し、スリップ作用によって畦を締め固めようとするものである。前記従来技術では、さらに畦傾斜面を堅く締め固めるために円錐回転体を放射状の分割片とし、側面視ジグザグ状としたり、進行方向に対して前進角を設け隣接する分割片相互は逃げ角をもって連結させ断続圧を加えて練り込んでいた。
【０００４】
これらは崩れやすい畦の傾斜面をより堅く成形しようとするものであるが、傾斜面に塗り付けた土壌と旧畦土壌は、両者の水分や密度を均一に同じにして塗り付けて一体化することは困難であり、これにより両者の土質の違いが生じこの境界面部より剥がれ落ちようとする現象が発生する。また、境界面部に上方より雨水等が浸透するとさらに前記現象が助長されることになる。これらを防止するために、畦上面部と傾斜面を一体で塗り付けて上面土壌で傾斜面土壌の剥がれを押えてやる必要がある。従来の畦形成装置では傾斜面をより堅く成形する技術は提案されているが、畦上面部を堅くすることをあまり重要視しておらず、傾斜面を強固に成形しても、畦上面部が軟弱であると傾斜面部を支えることができなかったり、上面部より境界面への雨水の浸透が起こりやすくなり畦の剥がれ落ち現象を発生させることになる。
【０００５】
このため本発明の目的は、畦上面部をより堅く成形できる畦形成装置を提供することにある。
【課題を解決するための手段】
【０００６】
前記課題を解決するために、畦形成箇所に沿って移動され、畦形成箇所に土を盛り上げ状態に供給する土盛装置と、土盛装置の移動方向の後方に設置される畦形成装置とを有し、畦形成装置は、土を盛り上げ状態とされた畦形成箇所上を回転しながら通過させる円筒状回転体と、円筒状回転体の回転駆動力供給側に取り付けられ回転駆動力供給側にいく程径大となり、円筒状回転体の中央に向けた傾斜面を有する円錐回転体とからなり、前記円筒状回転体の外周表面は、回転軸芯に対して略円弧状の曲面部を有する複数枚の分割片を互いに隣接する分割片の回転方向前方側の上面に後方側を重ね合わせて連結して構成されていることを特徴とする畦形成機。
【０００７】
また、前記畦形成機において、分割片の回転方向後端部は、分割片の回転軸芯に対して略円弧状の曲面部外周より外側に突設した突設部を設けたことを特徴とする畦形成機を提供するものである。
【発明の効果】
【０００８】
以上のような構成にしたことにより、土盛装置によって旧畦の畦形成箇所に盛り上げ状態に供給された土を円錐回転体と円筒状回転体を回転するとともに、走行車を進行させて新畦を形成していくが、畦上面部を形成する円筒状回転体の隣接する複数枚の分割片は、回転方向前方側に後方側を重ね合わせて連結されているため、前方側が低く後方側が高く構成されて、前方側の低い部分で盛土を抱き込みながら後方側の高い部分で除々に圧力を加え、またこれが回転することにより繰り返されるため、断続圧が作用しながら練り込まれ、盛土内の空気や水分が逃げやすくなり、強固な畦上面部を形成することができる。
【０００９】
これにより、畦傾斜面を強固に支え、また旧畦との境界面への雨水等の浸透を押えることができ、剥がれ落ち現象も防止することができる。また、分割片の後端部を突設することにより、さらに強い断続圧を作用させて畦上面部を形成することができるとともに、分割片表面に連続して吸着した土壌を突設部で切り離すことができ、畦形成部への吸着性の強い土壌においても、吸着による土の持ち回りが無く、また塗り付けた土を剥ぎ落とすこともなく畦の形成ができる。
【発明を実施するための最良の形態】
【００１０】
以下、本発明の実施の形態を図面に基づいて説明する。図１は本発明を実施した畦形成機の平面図、図２は同畦形成機の畦形成装置を一部断面した斜視図、図３は円筒状回転体を断面した側面図、図４は畦形成装置で成形した畦の断面図、図５は円筒状回転体の分割片の後端部を突設させた横断面図を示したものである。
【００１１】
図１において、畦形成機の一例として、１の装着部、２の土盛装置、３の畦形成装置から構成される。１の装着部は、水平方向に延設したフレーム１１と、このフレーム１１より前方に突設され、図示されていないが走行車であるトラクタの三点リンクに装着される装着マスト１２と、フレーム１１の略中央部にはミッションケース１３が配置され構成される。
【００１２】
ミッションケース１３には前方に向けた入力軸１３ａが設けられ、この入力軸１３ａは、図示されていないがトラクタＰＴＯ軸よりユニバーサルジョイント１４を介しトラクタの駆動力を畦形成機へ入力するものである。
【００１３】
２の土盛装置は、砕土爪２１を爪軸２２の軸芯に対し放射状に複数設けたロータリ２３と、このロータリ２３を回転駆動するためのロータリ２３の一端を固着するロータリ出力軸２４を有したロータリ駆動ケース２５により構成され、前記装着部１のフレーム１１の一端にロータリ２３を作業進行方向に対し前方に配置するよう支持される。前記ロータリ駆動ケース２５の内部には、チェーン減速部２６が備えてある。
【００１４】
３の畦形成装置は、前記土盛装置２の後方に配置され、旧畦の上面を形成する円筒状回転体である上面形成体３１と、旧畦の側面を形成する側面形成体３２と、この上面形成体３１と側面形成体３２を回転駆動するための畦形成出力軸３３を有した畦形成駆動ケース３４とから構成され、前記装着部１のフレーム１１の一端に前記ロータリ駆動ケース２５とともに支持される。前記畦形成駆動ケース３４の内部には、チェーン減速部３５が備えてある。
【００１５】
駆動伝達について説明すると、前記ミッションケース１３より前方に突設させた入力軸１３ａに図示されていないが、トラクタＰＴＯ軸よりユニバーサルジョイント１４を介し駆動力が入力されると、ミッションケース１３の内部に設けたベベルギヤ１３ｂ，１３ｃを介し減速され、水平方向に延設したパイプ体にて構成されたフレーム１１の内部に回転可能に設けた駆動軸１３ｄへと伝達する。
【００１６】
ロータリ駆動ケース２５内部に備えたチェーン減速部２６は、前記駆動軸１３ｄに固着されたスプロケット２６ａと、前記ロータリ出力軸２４の内方端に固着したスプロケット２６ｂと、これらスプロケット２６ａ，２６ｂに巻架したチェーン２６ｃから構成され駆動軸１３ｄが駆動することにより、ロータリ出力軸２４に固着されたロータリ２３をチェーン減速部２６により減速し回転させる。
【００１７】
畦形成駆動ケース３４の内部に備えたチェーン減速部３５は、前記駆動軸１３ｄに固着したスプロケット３５ａと、畦形成駆動ケース３４から水平方向に突出する畦形成出力軸３３の内方端に固着したスプロケット３５ｂと、これらスプロケット３５ａ，３５ｂに巻架したチェーン３５ｃから構成され、駆動軸１３ｄが駆動することにより、畦形成出力軸３３に固着された上面形成体３１及び側面形成体３２をチェーン減速部３５によりさらに減速し回転させる。
【００１８】
側面形成体３２は、円錐形状を呈し円錐面を放射状に分割した円錐分割片３２ｃを連結して組み合せ構成されている。
【００１９】
図２において畦形成装置３について説明する。上面形成体３１は、前記畦形成出力軸３３の外方端部に取り付けられるボス３１ａと、このボス３１ａに嵌合する円筒状回転体３１ｂから構成され、側面形成体３２は、前記上面形成体３１の一端部となるボス３１ａの外周部より畦形成出力軸３３側となる外方へ向け徐々に径大となる円錐面を形成するよう放射状に複数設けたスポーク３２ａと、このスポーク３２ａの外周端を連結するリング３２ｂと、スポーク３２ａを基盤とし円錐面となる表面を放射状に分割し連続させた複数の円錐分割片３２ｃを着脱自在とし構成される。
【００２０】
円錐分割片３２ｃは、回転方向ｆに対して後端縁は隣接する円錐分割片３２ｃの始端部の前縁に重ね合せてボルト３６によって組み合せスポーク３２ａに固着されている。円錐分割片３２ｃは弾性力のある樹脂部材等で構成されていても良い。
【００２１】
円筒状回転体３１ｂは、回転軸芯に対して略円弧状の曲面部を有する複数枚の分割片３１ｃを互いに隣接する分割片３１ｃの回転方向前方側の上面に後方側を重ね合せて連結して一体で構成されている。
【００２２】
図３は円筒状回転体３１ｂを断面した側面図で、分割片３１ｃは互いに重ね合せて連結することで、円筒状回転体３１ｂの回転最大外周より回転方向前方側が低くなり前進角Ｇが形成され、前方側の低い部分で盛土を抱き込みながら後方側の高い部分で除々に圧力が加えられ畦上面を押圧する。さらにこれが回転することにより、盛土の抱き込みおよび押圧が繰り返され断続圧が作用し練り込まれ、強固な畦上面部が形成される。
【００２３】
図４において、畦形成装置で成形された畦の構造を説明する。畦形成装置の前方に配置された土盛装置により、旧畦４０の一部と旧畦４０の下方部の圃場面４４の一部を掘削して旧畦４０に盛り上げた土壌は、旧畦上の畦上面部４１と畦傾斜面４２に畦形成装置により締め固められ塗り付けられる。
【００２４】
畦傾斜面４２は圃場面４４に対して急勾配となっているため崩れやすく、また畦傾斜面４２部を堅く成形しても、旧畦４０との密度や水分の違いを完全に同一とすることは困難であり、旧畦と新しく塗り付けた傾斜面との間の境界部４３部分より剥がれ落ちる現象が発生する場合がある。このため、畦上面部４１を強固にすることにより畦傾斜面４２を上方で支えることができ、上方よりの境界部４３への雨水等の浸透を防止することができる。
【００２５】
図５は円筒状回転体の分割片の後端部を突設させた場合の一例を示した断面図で、分割片３１ｃの回転方向後端部に、分割片３１ｃの回転軸芯に対して略円弧状の曲面部外周より外側へ突設させた突設部３１ｄを設けることにより、分割片の前記前進角Ｇの作用と相俟ってさらに強い断続圧を作用させて畦上面部を強固に形成することができるとともに、円筒回転体を走行車の速度よりも速く回転させて起きるスリップ作用と相俟って、突設部３１ｄにより分割片の表面に連続して吸着した土壌を切り離す作用が働き、吸着性の強い土壌においてもより良い畦の形成ができる。
【００２６】
突設部３１ｄは、円筒状回転体の主外周面より突設した形状であれば良く、図５に示すような外側より内側に巻き込むようなカール状のもの、逆に外側にカールさせたもの、分割片の曲面部に接する平面を後方側に延長させて突設させたもの、前記平面部をさらに外側に折り曲げたものであっても良い。また分割片３１ｃは弾性力のある樹脂部材等で構成されていても良い。
【図面の簡単な説明】
【００２７】
【図１】本発明を実施した畦形成機の平面図
【図２】同畦形成機の畦形成装置を一部断面した斜視図
【図３】円筒状回転体を断面した側面図
【図４】畦形成装置で成形した畦の断面図
【図５】円筒状回転体の分割片の後端部を突設させた横断面図
【符号の説明】
【００２８】
１      装着部
１１    フレーム
１２    装着マスト
１３    ミッションケース
１３ａ  入力軸
１３ｂ，１３ｃ    ベベルギヤ
１３ｄ  駆動軸
１４    ユニバーサルジョイント
２      土盛装置
２１    砕土爪
２２    爪軸
２３    ロータリ
２４    ロータリ出力軸
２５    ロータリ駆動ケース
２６    チェーン減速部
２６ａ，２６ｂ    スプロケット
２６ｃ  チェーン
３      畦形成装置
３１    上面形成体
３１ａ  ボス
３１ｂ  円筒状回転体
３１ｃ  分割片
３１ｄ  突設部
３２    側面形成体
３２ａ  スポーク
３２ｂ  リング
３２ｃ  円錐分割片
３３    畦形成出力軸
３４    畦形成駆動ケース
３５    チェーン減速部
３５ａ，３５ｂ    スプロケット
３５ｃ  チェーン
３６    ボルト
４０    旧畦
４１    畦上面部
４２    畦傾斜面
４３    境界部
４４    圃場面
【図１】
2006055121.tif 000003
【図２】
2006055121.tif 000004
【図３】
2006055121.tif 000005
【図４】
2006055121.tif 000006
【図５】
2006055121.tif 000007